(57)【要約】【課題】平らな机の上に設置した場合であっても、蓋を十分に開くことのできるプリンタ装置を提供する。【解決手段】印刷ヘッドを有するプリンタ本体部と、前記プリンタ本体部に対して回動可能な蓋部と、を有し、前記蓋部には第１の回転軸及び第２の回転軸が設けられており、前記第１の回転軸は、前記プリンタ本体部の筐体の側面に設けられた第１の開口部に入れられており、前記第２の回転軸は、前記筐体の側面に設けられた第２の開口部に入れられており、前記第２の回転軸は、前記第１の回転軸よりも前記蓋部の蓋面側に設けられており、前記蓋部が開く際には、前記蓋部が前記第１の回転軸を中心に回動して、前記第２の回転軸が前記第２の開口部内を移動し、前記第２の回転軸の移動後、前記蓋部が前記第２の回転軸を中心に回動し、前記第１の回転軸が前記第１の開口部内を移動することを特徴とするプリンタ装置により上記課題を解決する。【選択図】  図８
2019209482.tif 000002
【特許請求の範囲】
【請求項１】
印刷ヘッドを有するプリンタ本体部と、
前記プリンタ本体部に対して回動可能な蓋部と、
を有し、
前記蓋部には第１の回転軸及び第２の回転軸が設けられており、
前記第１の回転軸は、前記プリンタ本体部の筐体の側面に設けられた第１の開口部に入れられており、
前記第２の回転軸は、前記筐体の側面に設けられた第２の開口部に入れられており、
前記第２の回転軸は、前記第１の回転軸よりも前記蓋部の蓋面側に設けられており、
前記蓋部が開く際には、前記蓋部が前記第１の回転軸を中心に回動して、前記第２の回転軸が前記第２の開口部内を移動し、前記第２の回転軸の移動後、前記蓋部が前記第２の回転軸を中心に回動し、前記第１の回転軸が前記第１の開口部内を移動することを特徴とするプリンタ装置。
【請求項２】
前記第１の回転軸の中心から前記第２の回転軸の中心までの距離は、前記蓋面から前記第２の回転軸の中心までの距離よりも長いことを特徴とする請求項１に記載のプリンタ装置。
【請求項３】
前記第２の回転軸の回転の力を減衰させる減衰部が設けられていることを特徴とする請求項１または２に記載のプリンタ装置。
【請求項４】
前記第２の回転軸には第１のギアが接続されており、
前記減衰部は、第２のギアと、前記第２のギアの軸に設けられた減衰部材とを有し、
前記蓋部が前記第２の回転軸を中心に回動する際には、前記第１のギアと前記第２のギアが噛み合うことを特徴とする請求項３に記載のプリンタ装置。
【請求項５】
前記第１の回転軸の回転の力を減衰させる減衰部が設けられていることを特徴とする請求項１から４のいずれかに記載のプリンタ装置。
【発明の詳細な説明】
【技術分野】
【０００１】
本発明は、プリンタ装置に関する。
【背景技術】
【０００２】
レシート等を発行するプリンタ装置は、商店等のレジスタ、銀行等におけるＡＴＭ（Automated Teller Machine）やＣＤ（Cash dispenser）、医療用機器の出力装置等の用途に幅広く用いられている。このようなプリンタ装置では、記録紙である感熱紙を搬送してサーマルヘッドにより印字や印刷がなされる。
【０００３】
このようなプリンタ装置では、プリンタ本体に回動可能に支持された蓋が設けられており、蓋を開くことによりプリンタ本体内に記録紙を補充したり、記録紙が詰まった場合に取り除くことができる。
【先行技術文献】
【特許文献】
【０００４】
【特許文献１】特開昭６３−５１１６３号公報
【特許文献２】特開２００５−１１６９５３号公報
【特許文献３】特開平６−５３６７１号公報
【発明の概要】
【発明が解決しようとする課題】
【０００５】
ところで、平らな机などの上に設置されたプリンタの蓋を開く際、蓋の回転支点の位置によっては開いた蓋が机にあたり、蓋を十分に開くことができず、プリンタ本体内への記録紙の補充や、詰まった記録紙を取り除くのに支障が生じる場合がある。
【０００６】
このため、回転支点の位置によらず、蓋を十分に開くことのできるプリンタ装置が求められている。
【課題を解決するための手段】
【０００７】
本実施の形態の一観点によれば、印刷ヘッドを有するプリンタ本体部と、前記プリンタ本体部に対して回動可能な蓋部と、を有し、前記蓋部には第１の回転軸及び第２の回転軸が設けられており、前記第１の回転軸は、前記プリンタ本体部の筐体の側面に設けられた第１の開口部に入れられており、前記第２の回転軸は、前記筐体の側面に設けられた第２の開口部に入れられており、前記第２の回転軸は、前記第１の回転軸よりも前記蓋部の蓋面側に設けられており、前記蓋部が開く際には、前記蓋部が前記第１の回転軸を中心に回動して、前記第２の回転軸が前記第２の開口部内を移動し、前記第２の回転軸の移動後、前記蓋部が前記第２の回転軸を中心に回動し、前記第１の回転軸が前記第１の開口部内を移動することを特徴とする。
【発明の効果】
【０００８】
本開示のプリンタ装置によれば、平らな机などの上に設置した場合であっても、蓋を十分に開くことができる。
【図面の簡単な説明】
【０００９】
【図１】プリンタ装置の斜視図
【図２】プリンタ装置の蓋部が閉じている状態の側面図
【図３】プリンタ装置の蓋部が閉じている状態の断面図
【図４】プリンタ装置の蓋部が開く際の説明図
【図５】プリンタ装置の蓋部が開いている状態の断面図
【図６】第１の実施の形態のプリンタ装置の斜視図
【図７】第１の実施の形態のプリンタ装置の蓋部が閉じている状態の断面図
【図８】第１の実施の形態のプリンタ装置の蓋部が閉じている状態の説明図
【図９】第１の実施の形態のプリンタ装置の蓋部が開く途中の状態の断面図
【図１０】第１の実施の形態のプリンタ装置の蓋部が開く途中の状態の説明図
【図１１】図１０の要部拡大図
【図１２】第１の実施の形態のプリンタ装置の蓋部が開いている状態の説明図
【図１３】図１２の要部拡大図
【図１４】第２の実施の形態のプリンタ装置の説明図
【図１５】第２の実施の形態のプリンタ装置の上面図
【図１６】第２の実施の形態のプリンタ装置の蓋部が閉じている状態の説明図
【図１７】第２の実施の形態のプリンタ装置の蓋部が開く途中の状態の説明図
【図１８】図１７の要部拡大図
【図１９】第２の実施の形態のプリンタ装置の蓋部が開いている状態の説明図
【図２０】図１９の要部拡大図
【図２１】第２の実施の形態のプリンタ装置の変形例の説明図
【図２２】第３の実施の形態のプリンタ装置の説明図（１）
【図２３】第３の実施の形態のプリンタ装置の説明図（２）
【図２４】第３の実施の形態のプリンタ装置の変形例１の説明図（１）
【図２５】第３の実施の形態のプリンタ装置の変形例１の説明図（２）
【図２６】第３の実施の形態のプリンタ装置の変形例２の説明図（１）
【図２７】第３の実施の形態のプリンタ装置の変形例２の説明図（２）
【発明を実施するための形態】
【００１０】
本発明を実施するための形態について、以下に説明する。尚、同じ部材等については、同一の符号を付して説明を省略する。また、本願においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１１】
〔第１の実施の形態〕
プリンタについて、図１から図３に基づき説明する。図１はプリンタ装置の斜視図であり、図２は蓋部が閉じた状態の側面図、図３は断面図、図４は蓋部が開く際の断面図、図５は蓋部が開いた状態の断面図である。
【００１２】
図１から図５に示すプリンタ装置は、プリンタ本体部１０、蓋部２０、印刷ヘッド３０、プラテンローラ４０を有している。蓋部２０は回転軸５０を中心に回動することができるようにプリンタ本体部１０に取り付けられている。このプリンタ装置では、不図示の記録紙ホルダに記録紙を補充したり詰まった記録紙を取り除く際に、蓋部２０を回動させる。
【００１３】
プリンタ本体部１０には印刷ヘッド３０が、蓋部２０にはプラテンローラ４０が取り付けられている。蓋部２０が閉じた状態では、印刷ヘッド３０とプラテンローラ４０とが接触する。記録紙は、印刷ヘッド３０とプラテンローラ４０との間に供給され、プラテンローラ４０が回転することにより搬送され、印刷ヘッド３０とプラテンローラ４０との間に挟まれた状態で印刷ヘッド３０により印字がなされる。
【００１４】
プリンタ本体部１０の下面１１が、ＸＹ面に平行な平らな机８０の上に接触するように設置された場合、回転軸５０を中心に破線矢印Ａ方向に蓋部２０を回動させると、図４に示されるように蓋部２０の下端２１が机８０と接触し、途中までしか開かない場合がある。
【００１５】
図５に示されるように、プリンタ本体部１０の下面１１よりもＺ２側に何も存在していない状態であれば、回転軸５０を中心に破線矢印Ａに蓋部２０を回動させて、蓋部２０を十分に開くことができる。これに対し、プリンタ本体部１０を机８０の上に置いた場合、図４に示されるように蓋部２０は途中までしか開かないため、記録紙を補充することができなかったり、詰まった記録紙を上手く取り除くことができない。
【００１６】
（プリンタ装置）
次に、第１の実施の形態のプリンタ装置について、図６〜図８に基づき説明する。図６は、本実施の形態のプリンタ装置の斜視図であり、図７は閉じた状態のプリンタ装置の断面図、図８は側面部分の説明図である。
【００１７】
本実施の形態のプリンタ装置は、プリンタ本体部１１０、蓋部１２０、サーマルヘッド等の印刷ヘッド３０、プラテンローラ４０を有している。
【００１８】
プリンタ本体部１１０には印刷ヘッド３０が、蓋部１２０にはプラテンローラ４０が取り付けられており、蓋部１２０が閉じた状態で印刷ヘッド３０とプラテンローラ４０とが接触する。不図示の記録紙は、印刷ヘッド３０とプラテンローラ４０との間に供給され、プラテンローラ４０が回転することにより記録紙が搬送され、印刷ヘッド３０とプラテンローラ４０との間に挟まれた状態で印字される。
【００１９】
本実施の形態においては、蓋部１２０は、プリンタ本体部１１０に第１の回転軸１５０及び第２の回転軸１６０により取り付けられている。それぞれの回転軸１５０、１６０は例えばネジにより形成される。プリンタ本体部１１０の筐体の側面１１０ａには、円弧状の第１の開口部１１２と、略Ｚ１−Ｚ２方向に長い第２の開口部１１３が設けられている。第１の開口部１１２には第１の回転軸１５０が入れられ、蓋部１２０の側面にネジ留めされる。第２の開口部１１３には第２の回転軸１６０入れられ、蓋部１２０の側面にネジ留めされる。尚、第２の開口部１１３は円弧状となるように形成されていてもよい。
【００２０】
蓋部１２０が閉じている状態では、第１の回転軸１５０は第１の開口部１１２のＺ２側の端部に位置しており、第２の回転軸１６０は第２の開口部１１３のＺ１側の端部に位置している。
【００２１】
第２の回転軸１６０は、第１の回転軸１５０よりも外側、つまりＸ１側の蓋部１２０の蓋面１２０ａ側に設けられている。第１の回転軸１５０の中心から第２の回転軸１６０の中心までの距離Ｌ１は、第２の回転軸１６０の中心から蓋面１２０ａまでの距離Ｌ２よりも長く形成されている。
【００２２】
本実施の形態では、プリンタ本体部１１０の筐体のＺ１側の内面と印刷ヘッド３０との間にバネ６０が設けられている。図７に示される蓋部１２０が閉じている状態では、バネ６０にはＺ１−Ｚ２方向に伸びようとする復元力が生じており、バネ６０の付勢力により印刷ヘッド３０がプラテンローラ４０側に押されている。
【００２３】
本実施の形態のプリンタ装置は、プリンタ本体部１１０の下面１１１が机８０の上に接触するように設置される。不図示の記録紙ホルダに記録紙を補充したり、詰まった記録紙を取り除く際には、蓋部１２０を回動させて開く。プリンタ本体部１１０に設けられているレバー１１４をＸ２方向に動かすことにより、プラテンローラ４０の支持がはずれ、図９から図１１に示されるように、蓋部１２０が破線矢印Ｂ方向に回動する。
【００２４】
図７及び図８に示される蓋部１２０が閉じている状態では、バネ６０の復元力により印刷ヘッド３０はプラテンローラ４０を押している。レバー１１４をＸ２方向に動かしてプラテンローラ４０の支持がはずれると、プラテンローラ４０は印刷ヘッド３０によりＺ２方向に押されて、Ｚ２側に動く。このとき、第１の回転軸１５０は第１の開口部１１２のＺ２側の端部にあり、これ以上Ｚ２側に動くことはできないため、蓋部１２０は第１の回転軸１５０を中心に回動し、図１１に示されるように、第２の回転軸１６０が矢印Ｃ方向に第２の開口部１１３をＺ１側の端部からＺ２側の端部に移動する。これにより、図９及び図１０に示されるように、蓋部１２０は破線矢印Ｂ方向に回動する。
【００２５】
この後、蓋部１２０を更に破線矢印Ｂ方向に回動することで、図１２から図１３に示されるように、蓋部１２０を完全に開くことができる。図９から図１１に示される状態では、第２の回転軸１６０は第２の開口部１１３のＺ２側の端部にあり、これ以上Ｚ２側に動くことはできないため、蓋部１２０は第２の回転軸１６０を中心として回動する。また、蓋部１２０の回動に伴い、図１３に示されるように、第１の回転軸１５０は第１の開口部１１２を破線矢印Ｄ方向に移動する。従って、第１の回転軸１５０よりも蓋面１２０ａ側に位置する第２の回転軸１６０を中心に蓋部２０が回動する。このように、蓋面１２０ａから第２の回転軸１６０までの距離を短くすることにより、蓋部１２０を開く際に必要な領域を狭くすることが可能となり、下端１２１が机８０と接触することなく、蓋部１２０を完全に開くことができる。
【００２６】
ところで、蓋部１２０を開く際に必要な領域を狭くするだけであれば、蓋面１２０ａに近い第２の回転軸１６０に相当する回転軸のみを設ければよい。しかしながら、本実施の形態のプリンタ装置では、蓋部１２０を開く際には、最初に蓋部１２０が第１の回転軸１５０を中心に回動し、この後、第２の回転軸１６０を中心に回動する。これにより、蓋部１２０を開く際に必要な領域を狭くし、蓋部１２０を円滑に開くことができる。
【００２７】
〔第２の実施の形態〕
次に、第２の実施の形態のプリンタ装置について図１４及び図１５に基づき説明する。本実施の形態のプリンタ装置は、第２の回転軸１６０に接続された第１のギア２６０と、ダンパー部２７０とが設けられている。ダンパー部２７０は、第２のギア２７１と、第２のギア２７１の回転軸に接続された減衰部２７２を備える。ダンパー部２７０を設けることにより、蓋部１２０が開く際の力を減衰させることができ、蓋部１２０が急激に開いて人や物に衝撃を与え、けがや破損等が生じることを防ぐことができる。
【００２８】
本実施の形態では、図１６に示されるように、蓋部１２０が閉じている状態では、第１のギア２６０と第２のギア２７１とは離れており噛み合ってはいない。
【００２９】
この後、レバー１１４をＸ２方向に動かすことによりプラテンローラ４０の支持がはずれ、図１７及び図１８に示されるように、第２の回転軸１６０は第２の開口部１１３内を図１８の破線矢印Ｅに示されるようにＺ２側の端部まで動き、第１のギア２６０と第２のギア２７１とが噛み合った状態となる。この際、蓋部１２０は第１の回転軸１５０を中心に回動し、図１７の破線矢印Ｆ方向に開く。
【００３０】
この後、図１９及び図２０に示されるように、蓋部１２０を更に破線矢印Ｆ方向に回動して開いた場合、第２のギア２７１の回転軸に接続された減衰部２７２によって蓋部１２０が破線矢印Ｆに急激に開く力が弱められ徐々に開く。蓋部１２０がＦ方向に開く際には、図２０に示されるように、蓋部１２０は第２の回転軸１６０を中心に矢印Ｇに示すように反時計回りに回転し、これに伴い第１のギア２６０も反時計回りに回転する。第１のギア２６０が反時計回りに回転すると、第１のギア２６０と噛み合う第２のギア２７１は矢印Ｈに示すように時計回りに回転する。第２のギア２７１の回転軸に接続された減衰部２７２により第２のギア２７１の時計回りに回転する力が弱められることから、第２のギア２７１に噛み合う第１のギア２６０の回転力も弱められる。そのため、第１のギア２６０が接続されている第２の回転軸１６０を中心に回動する蓋部１２０の開く力も減衰され、蓋部１２０は徐々に開く。
【００３１】
（変形例）
本実施の形態のプリンタ装置は、第１の回転軸１５０側にダンパー部を設けたものであってもよい。このダンパー部はダンパー部２７０と同様の構造のものであり、第２のギア２８１と、第２のギア２８１の回転軸に接続された不図示の減衰部とを有する。尚、第１の回転軸１５０には、第２のギア２８１と噛み合う第１のギア２５０が取り付けられている。蓋部１２０が開く際には、蓋部１２０は第１の回転軸１５０を中心に回動した後、第２の回転軸１６０を中心に回動する。図２１に示されるプリンタ装置では、蓋部１２０が第２の回転軸１６０を中心に回動し、第１の回転軸１５０が開口部１１２内を移動する初期の段階で、蓋部１２０が開く力を減衰する。
【００３２】
尚、上記以外の内容については、第１の実施の形態と同様である。
【００３３】
〔第３の実施の形態〕
次に、第３の実施の形態のプリンタ装置について説明する。本実施の形態のプリンタ装置は、バネを設けた構造のものである。
【００３４】
本実施の形態のプリンタ装置は、図２２及び図２３に示されるように、第１の回転軸１５０に付勢力が働くねじりコイルバネ３８１を設けたものである。図２２に示すように、第１の回転軸１５０に付勢力が働くねじりコイルバネ３８１を設けることにより、蓋部１２０が急激に開くことを防ぐことができる。図２２に示す状態から図２３に示すように破線矢印Ｊ方向に蓋部１２０が開く際には、第１の回転軸１５０が第１の開口部１１２内を移動するため、第１の回転軸１５０とねじりコイルバネ３８１とが接触し、第１の回転軸１５０により押されたねじりコイルバネ３８１が撓み、第１の回転軸１５０に加わる付勢力が生じ、蓋部１２０が急激に開くことを抑制できる。
【００３５】
また、本実施の形態のプリンタ装置は、図２４及び図２５に示すように、ねじりコイルバネ３８１に代えて板バネ３８２を設けたものであってもよい。図２４に示す状態から図２５に示すように破線矢印Ｊ方向に蓋部１２０が開く際には、第１の回転軸１５０が第１の開口部１１２内を移動するため、第１の回転軸１５０と板バネ３８２とが接触し、第１の回転軸１５０により押された板バネ３８２が撓み、第１の回転軸１５０に加わる付勢力が生じ、蓋部１２０が急激に開くことを抑制する。
【００３６】
また、本実施の形態のプリンタ装置は、図２６及び図２７に示すように、ねじりコイルバネ３８１に代えて、回転軸３９２を中心に回動する押さえ部材３９１とコイルバネ３９３とを設けた構造のものであってもよい。図２６に示す状態から、図２７に示すように破線矢印Ｊ方向に蓋部１２０が開く際、第１の回転軸１５０が第１の開口部１１２内を移動し、第１の回転軸１５０と押さえ部材３９１とが接触して、第１の回転軸１５０により押さえ部材３９１が押されて回転軸３９２を中心に回動する。この際、コイルバネ３９３が撓み、第１の回転軸１５０に加わる付勢力が生じ、蓋部１２０が急激に開くことを抑制する。
【００３７】
尚、上記以外の内容については、第１の実施の形態と同様である。
【００３８】
以上、本発明の実施に係る形態について説明したが、上記内容は、発明の内容を限定するものではない。
【符号の説明】
【００３９】
３０        印刷ヘッド
４０        プラテンローラ
６０        バネ
１１０      プリンタ本体部
１１０ａ    側面
１１１      下面
１１２      第１の開口部
１１３      第２の開口部
１２０      蓋部
１２０ａ    蓋面
１２１      下端
１５０      第１の回転軸
１６０      第２の回転軸
【図１】
2019209482.tif 000003
【図２】
2019209482.tif 000004
【図３】
2019209482.tif 000005
【図４】
2019209482.tif 000006
【図５】
2019209482.tif 000007
【図６】
2019209482.tif 000008
【図７】
2019209482.tif 000009
【図８】
2019209482.tif 000010
【図９】
2019209482.tif 000011
【図１０】
2019209482.tif 000012
【図１１】
2019209482.tif 000013
【図１２】
2019209482.tif 000014
【図１３】
2019209482.tif 000015
【図１４】
2019209482.tif 000016
【図１５】
2019209482.tif 000017
【図１６】
2019209482.tif 000018
【図１７】
2019209482.tif 000019
【図１８】
2019209482.tif 000020
【図１９】
2019209482.tif 000021
【図２０】
2019209482.tif 000022
【図２１】
2019209482.tif 000023
【図２２】
2019209482.tif 000024
【図２３】
2019209482.tif 000025
【図２４】
2019209482.tif 000026
【図２５】
2019209482.tif 000027
【図２６】
2019209482.tif 000028
【図２７】
2019209482.tif 000029